(57)【要約】【課題】コンテンツ再生装置において、コンテンツの再生時に外部ストレージを使用するか否かをユーザが容易に確認できる。【解決手段】ＢＤプレーヤは、ディスク検出部を有する光ディスクドライブを備える。ディスク検出部によって、ＢＤディスクの装着が検出されると（Ｓ１）、光ディスクドライブを駆動させてＢＤディスクから「ｉｎｄｅｘ．ｂｄｍｖ」データを読み取る（Ｓ２）。そして、「ｉｎｄｅｘ．ｂｄｍｖ」データにおける、ＢＤディスクに関する情報が記録されたテーブルを参照して、コンテンツの再生時に外部ストレージを使用するか否かを判断する（Ｓ３）。【選択図】図３
2014044761.tif 000002
【特許請求の範囲】
【請求項１】
コンテンツのデータとコンテンツの再生時に外部ストレージを使用するか否かを示す再生制御データとを、記録メディアから読み取る読取手段と、
前記読取手段により読み取られたコンテンツのデータを再生する再生手段と、
前記再生手段がコンテンツのデータを再生する前に、前記読取手段により読み取られた前記再生制御データの内容に基づいて、前記記録メディアに記録されたコンテンツの再生時に外部ストレージを使用するか否かを判断する判断手段とを備えるコンテンツ再生装置。
【請求項２】
前記外部ストレージが使用可能か否かを判断する外部ストレージ判断手段と、
データを展開可能なサーバに対して、データの送受信を行うための通信手段とをさらに備え、
前記再生手段は、前記判断手段によって前記外部ストレージを使用すると判断されたコンテンツを再生するときに、前記外部ストレージ判断手段によって該外部ストレージの使用の可否を判断し、この結果、該外部ストレージを使用できないと判断された場合、前記通信手段を用いて前記サーバ上にデータを展開しながら、前記コンテンツの再生を行うことを特徴とする請求項１に記載のコンテンツ再生装置。
【請求項３】
前記外部ストレージが使用可能か否かを判断する外部ストレージ判断手段と、
データを展開可能な記録媒体を有する外部機器と接続して、データの送受信を行うための接続手段とをさらに備え、
前記再生手段は、前記判断手段によって前記外部ストレージを使用すると判断されたコンテンツを再生するときに、前記外部ストレージ判断手段によって該外部ストレージの使用の可否を判断し、この結果、該外部ストレージを使用できないと判断された場合、前記接続手段を用いて前記外部機器の記録媒体にデータを展開しながら、前記コンテンツの再生を行うことを特徴とする請求項１に記載のコンテンツ再生装置。
【請求項４】
前記外部ストレージが使用可能か否かを判断する外部ストレージ判断手段と、
データを展開可能なサーバに対して、データの送受信を行うための通信手段と、
データを展開可能な記録媒体を有する外部機器と接続して、データの送受信を行うための接続手段と、
前記通信手段、又は前記接続手段のいずれを選択するか指示するための選択手段とをさらに備え、
前記再生手段は、前記判断手段によって前記外部ストレージを使用すると判断されたコンテンツを再生するときに、前記外部ストレージ判断手段によって該外部ストレージの使用の可否を判断し、この結果、該外部ストレージを使用できないと判断された場合、
前記選択手段によって、前記通信手段が選択されたときは、該通信手段を用いて前記サーバ上にデータを展開しながら、前記コンテンツの再生を行い、
前記選択手段によって、前記接続手段が選択されたときは、該接続手段を用いて前記外部機器の記録媒体にデータを展開しながら、前記コンテンツの再生を行うことを特徴とする請求項１に記載のコンテンツ再生装置。
【請求項５】
前記判断手段によって、前記記録メディアに記録されたコンテンツの再生時に外部ストレージを使用すると判断されたときに、その旨のメッセージを出力する出力手段をさらに備えることを特徴とする請求項１乃至４のいずれか一項に記載のコンテンツ再生装置。
【発明の詳細な説明】
【技術分野】
【０００１】
本発明は、記録メディアに記録されたコンテンツを再生可能なコンテンツ再生装置に関する。
【背景技術】
【０００２】
近年、ブルーレイディスク（以下、ＢＤディスクという）等に記録された動画のコンテンツの中には、ＵＳＢメモリやＳＤカード等の外部ストレージにデータが展開された状態で、コンテンツの再生が行われるものが知られている。外部ストレージを有していないＢＤプレーヤが、この種のコンテンツを再生する場合、ＢＤプレーヤに外部ストレージを接続してからコンテンツの再生を行う必要がある。
【先行技術文献】
【特許文献】
【０００３】
【特許文献１】特開２００９−１１０６６１号公報
【特許文献２】特開２００８−８４４８８号公報
【発明の概要】
【発明が解決しようとする課題】
【０００４】
ところで、コンテンツの再生時に外部ストレージを使用するか否かは、そのコンテンツを再生させるまで分からないことが一般的である。コンテンツによっては、コンテンツを再生した時に、「外部ストレージが必要です」というメッセージを表示させるものもあるが、このようなメッセージを表示させないコンテンツも多い。そのため、外部ストレージを有していないＢＤプレーヤを用いて、外部ストレージを使用するコンテンツを再生すると、例えば黒画面が表示されたままの状態になり、コンテンツを正常に再生できないという問題がある。さらに、ユーザによっては、ＢＤプレーヤに外部ストレージを接続する必要がある事が分からないため、機器の故障が原因でコンテンツを再生できないと誤認識してしまう場合もある。
【０００５】
コンテンツ再生装置の分野において、特許文献１には、検知モジュールによってリムーバブルメディアの取付けが検知された場合、ＢＤ−ＲＯＭ等の記録媒体に記録されている映像データと、当該リムーバブルメディアの追加コンテンツとを動的に組み合わせて再生する再生装置が開示されている。しかしながら、この再生装置では、コンテンツの再生時に外部ストレージ（リムーバブルメディア）を使用するか否かが分からないため、上記問題を解決できない。
【０００６】
また、特許文献２には、レーザ光の反射光に基づく読取情報からＵＲＬを抽出する抽出部と、ネットワークを介して外部装置と通信を行う通信部と、抽出部がＵＲＬを検出すると、通信部を用いてＵＲＬが示す外部装置にアクセスして情報をダウンロードできるかどうかを判断し、できない場合は接続設定を促す旨を表示する表示信号を生成して出力する制御部とを備え、指定するＵＲＬのリソースを確実にダウンロードすることができるようにする光ディスク再生装置が開示されている。しかしながら、この光ディスク再生装置であっても、コンテンツの再生時に外部ストレージを使用するか否かが分からないため、上記問題を解決できない。
【０００７】
本発明は、上述した問題点を解決するためになされたものであり、コンテンツの再生時に外部ストレージを使用するか否かを、ユーザが容易に確認可能なコンテンツ再生装置を提供することを目的とする。
【課題を解決するための手段】
【０００８】
上記目的を達成するために本発明のコンテンツ再生装置は、コンテンツのデータとコンテンツの再生時に外部ストレージを使用するか否かを示す再生制御データとを、記録メディアから読み取る読取手段と、前記読取手段により読み取られたコンテンツのデータを再生する再生手段と、前記再生手段がコンテンツのデータを再生する前に、前記読取手段により読み取られた前記再生制御データの内容に基づいて、前記記録メディアに記録されたコンテンツの再生時に外部ストレージを使用するか否かを判断する判断手段とを備えるものである。
【０００９】
上記構成においては、再生手段がコンテンツのデータを再生する前に、読取手段がこの記録メディアから再生制御データを読取り、判断手段が記録メディアに記録されたコンテンツの再生時に外部ストレージを使用するか否かを判断する。そのため、ユーザは、コンテンツを再生する前に、コンテンツの再生時に外部ストレージを使用するか否かを容易に確認できる。
【００１０】
前記コンテンツ再生装置は、前記外部ストレージが使用可能か否かを判断する外部ストレージ判断手段と、データを展開可能なサーバに対して、データの送受信を行うための通信手段とをさらに備え、前記再生手段は、前記判断手段によって前記外部ストレージを使用すると判断されたコンテンツを再生するときに、前記外部ストレージ判断手段によって該外部ストレージの使用の可否を判断し、この結果、該外部ストレージを使用できないと判断された場合、前記通信手段を用いて前記サーバ上にデータを展開しながら、前記コンテンツの再生を行うことが望ましい。
【００１１】
上記構成においては、外部ストレージ判断手段によって外部ストレージを使用できないと判断された場合であっても、サーバ上にデータを展開することにより、外部ストレージを使用するコンテンツの再生を行うため、コンテンツを再生する際の利便性を向上させることができる。
【００１２】
前記コンテンツ再生装置は、前記外部ストレージが使用可能か否かを判断する外部ストレージ判断手段と、データを展開可能な記録媒体を有する外部機器と接続して、データの送受信を行うための接続手段とをさらに備え、前記再生手段は、前記判断手段によって前記外部ストレージを使用すると判断されたコンテンツを再生するときに、前記外部ストレージ判断手段によって該外部ストレージの使用の可否を判断し、この結果、該外部ストレージを使用できないと判断された場合、前記接続手段を用いて前記外部機器の記録媒体にデータを展開しながら、前記コンテンツの再生を行うことが望ましい。
【００１３】
上記構成においては、外部ストレージ判断手段によって外部ストレージを使用できないと判断された場合であっても、外部機器の記録媒体にデータを展開することにより、外部ストレージを使用するコンテンツの再生を行うため、コンテンツを再生する際の利便性を向上させることができる。
【００１４】
前記コンテンツ再生装置は、前記外部ストレージが使用可能か否かを判断する外部ストレージ判断手段と、データを展開可能なサーバに対して、データの送受信を行うための通信手段と、データを展開可能な記録媒体を有する外部機器と接続して、データの送受信を行うための接続手段と、前記通信手段、又は前記接続手段のいずれを選択するか指示するための選択手段とをさらに備え、前記再生手段は、前記判断手段によって前記外部ストレージを使用すると判断されたコンテンツを再生するときに、前記外部ストレージ判断手段によって該外部ストレージの使用の可否を判断し、この結果、該外部ストレージを使用できないと判断された場合、前記選択手段によって、前記通信手段が選択されたときは、該通信手段を用いて前記サーバ上にデータを展開しながら、前記コンテンツの再生を行い、前記選択手段によって、前記接続手段が選択されたときは、該接続手段を用いて前記外部機器の記録媒体にデータを展開しながら、前記コンテンツの再生を行うことが望ましい。
【００１５】
上記構成においては、外部ストレージ判断手段によって外部ストレージを使用できないと判断された場合であっても、通信手段が選択されたときにはサーバ上にデータを展開し、接続手段が選択されたときには外部機器の記録媒体にデータを展開することにより、外部ストレージを使用するコンテンツの再生を行うため、コンテンツを再生する際の利便性を向上させることができる。
【００１６】
前記コンテンツ再生装置は、前記判断手段によって、前記記録メディアに記録されたコンテンツの再生時に外部ストレージを使用すると判断されたときに、その旨のメッセージを出力する出力手段をさらに備えることが望ましい。
【００１７】
上記構成においては、記録メディアに記録されたコンテンツの再生時に外部ストレージを使用すると判断されたときに、その旨のメッセージを出力するので、ユーザは、コンテンツの再生時に外部ストレージを使用することを容易に知ることができる。
【発明の効果】
【００１８】
本発明によれば、コンテンツを再生する前に、このコンテンツの再生時に外部ストレージを使用するか否かを判断するため、ユーザは、コンテンツを再生することなしに、外部ストレージを使用するか否かを容易に確認できる。これにより、例えば、ユーザは、コンテンツを再生する前に外部ストレージが使用できるように準備をした後、コンテンツを再生させることができるため、外部ストレージが使用できないことによりコンテンツが再生できない場合に、ユーザが機器の故障であると誤認識することを防ぐことができる。
【図面の簡単な説明】
【００１９】
【図１】本発明の一実施形態に係るＢＤプレーヤとＴＶ受像機とを含むコンテンツ再生システムの概略図。
【図２】上記ＢＤプレーヤの内部構成を示すブロック図。
【図３】上記ＢＤプレーヤのコンテンツ再生処理の動作を示すフローチャート。
【図４】上記コンテンツ再生処理におけるメッセージの表示例を示す説明図。
【図５】上記コンテンツ再生処理における外部ストレージ使用処理の動作を示すフローチャート。
【図６】上記外部ストレージ使用処理の動作を示すフローチャートの続き。
【図７】上記外部ストレージ使用処理におけるメッセージの表示例を示す説明図。
【図８】上記外部ストレージ使用処理におけるメッセージの表示例を示す説明図。
【図９】上記外部ストレージ使用処理におけるメッセージの表示例を示す説明図。
【図１０】上記コンテンツ再生システムの変形例を示す概略図。
【発明を実施するための形態】
【００２０】
以下、本発明の一実施形態に係るブルーレイディスク（以下、ＢＤという）プレーヤについて、図１及び図２を参照して説明する。図１は、ＢＤプレーヤ（コンテンツ再生装置）２と、このＢＤプレーヤ２に接続されたテレビジョン（以下、ＴＶという）受像機（外部機器）３とを含むコンテンツ再生システム１の概略構成を示す。図２は、ＢＤプレーヤ２の電気的ブロック構成を示す。
【００２１】
ＢＤプレーヤ２とＴＶ受像機３とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル６０を介して相互に接続されている。ＢＤプレーヤ２とＴＶ受像機３とは、ＨＤＭＩ規格に基づくＣＥＣ（Ｃｏｎｓｕｍｅｒ  Ｅｌｅｃｔｒｏｎｉｃｓ  Ｃｏｎｔｒｏｌ）コマンドと、ＣＥＣコマンドに対するレスポンスデータとを送受信可能である。ＢＤプレーヤ２は、ＨＤＭＩケーブル６０を介して、ＴＶ受像機３に、映像信号及び音声信号を送信する。
【００２２】
ＴＶ受像機３は、ディスプレイ３１と、スピーカ３２と、データを記録可能なハードディスクドライブ（以下、ＨＤＤという；請求項における記録媒体）３３とを備える。ＴＶ受像機３は、ＢＤプレーヤ２から受信した映像信号に基づく映像をディスプレイ３１に表示し、音声信号に基づく音声をスピーカ３２から出力する。また、ＴＶ受像機３は、ＢＤプレーヤ２から送信されたＣＥＣコマンドの内容に基づいて、ＨＤＤ３３に各種データを記録可能である。
【００２３】
ＢＤプレーヤ２は、図２に示すように、ＵＳＢポート２１と、ＬＡＮモジュール（通信手段）２２と、ＨＤＭＩ通信部（接続手段）２３と、光ディスクドライブ２４と、メモリ２５と、リモコン信号受信部２６と、リモコン装置（選択手段）２７とを備える。ＢＤプレーヤ２は、ＢＤ−Ｊ（Ｂｌｕ−ｒａｙ  Ｄｉｓｃ  Ｊａｖａ（登録商標））をサポートしており、ＢＤ−Ｌｉｖｅに対応した機器である。
【００２４】
ＵＳＢポート２１には、ＵＳＢ規格に対応した機器（以下、ＵＳＢ機器という）が接続される。ＵＳＢ機器とは、例えば、図１に示すように、ＵＳＢメモリ（外部ストレージ）５０や、ＷｉＦｉ機能を提供するためのＷｉＦｉ用ＵＳＢ機器等がある。ＵＳＢポート２１は、接続されたＵＳＢ機器に対して、データの送受信を行うことができる。例えば、ＵＳＢポート２１にＵＳＢメモリ５０が接続されている場合、ＵＳＢポート２１は、ＵＳＢメモリ５０に対して、データの記憶（展開）、データの読取り、及びデータの削除等の処理を行うことができる。
【００２５】
ＬＡＮモジュール２２には、ＬＡＮ（Ｌｏｃａｌ  Ａｒｅａ  Ｎｅｔｗｏｒｋ）ケーブル７０が接続され、インターネットＮに接続されたモデム（図示せず）を介して、インターネットＮ上の各サーバ８０ａ〜８０ｃとデータの送受信を行う。ここでは、サーバ８０ａは、ＢＤプレーヤ３の製造メーカが稼働させるサーバ（自社サーバ）であるものとする。
【００２６】
ＨＤＭＩ通信部２３には、一端がＴＶ受像機３と接続されたＨＤＭＩケーブル６０の他端側が接続される。ＨＤＭＩ通信部２３は、ＴＶ受像機３に映像信号及び音声信号を送信したり、ＣＥＣコマンドの送受信や各種データの送受信を行ったりする。
【００２７】
光ディスクドライブ（読取手段）２４は、ディスク検出部２４ａを有し、内部にＢＤディスク（記録メディア）ｄが装着される。ＢＤディスクｄには、コンテンツのデータと、コンテンツの再生時に外部ストレージを使用するか否かを示す情報が格納された「ｉｎｄｅｘ．ｂｄｍｖ」データ（再生制御データ）ｄ１とが記憶されている。光ディスクドライブ２４は、内部に装着されたＢＤディスクｄから、コンテンツのデータや、「ｉｎｄｅｘ．ｂｄｍｖ」データｄ１等のデータを読み取り、読み取ったデータを制御部２０に転送する。ディスク検出部２４ａは、光ディスクドライブ２４の内部にＢＤディスクｄが装着されたか否かを検出し、ＢＤディスクｄの装着を検出したとき、その旨を通知する信号を制御部２０に送信する。
【００２８】
メモリ２５は、制御部２０を動作させるためのプログラム２５ａと、設定情報２５ｂ等を記憶している。設定情報２５ｂには、各種メッセージを表示するか否かのオン／オフ設定等が格納されている。オン／オフ設定はユーザによって任意に変更可能である。
【００２９】
リモコン信号受信部２６は、ユーザによって操作されるリモコン装置２７から送信されたリモコン信号（赤外線信号）を受信し、受信したリモコン信号を電気信号に変換して制御部２０に転送する。
【００３０】
リモコン装置２７は、ユーザによって操作される「決定」キーや、カーソルを移動させる「上下左右」キーなどの複数の操作キー（図示せず）を有し、ユーザによって操作された操作キーに応じたリモコン信号を送信する。ユーザは、リモコン装置２７を操作することにより、ＢＤディスクｄのコンテンツの再生や停止等の指示や、各種設定のオン／オフ設定の選択指示等を行うことができる。
【００３１】
制御部２０は、再生処理部（再生手段、外部ストレージ判断手段）２０ａと、ＯＳＤ部（出力手段）２０ｂと、外部ストレージ使用判断部（判断手段）２０ｃ、外部ストレージ制御部２０ｄ等を有し、ＢＤプレーヤ２の各部を制御する。また、制御部２０は、ＵＳＢメモリ５０が使用可能か否かを判断する処理を行う。具体的には例えば、制御部２０は、ＵＳＢポート２１にＵＳＢ機器が接続されていない場合、ＵＳＢメモリ５０を使用できないと判断する。
【００３２】
再生処理部２０ａは、光ディスクドライブ２４から転送されたコンテンツのデータを再生して、再生した映像信号及び音声信号を、ＨＤＭＩ通信部２３を用いてＴＶ受像機３に出力する処理を行う。ＯＳＤ部２０ｂは、ＯＳＤ画像の映像信号を生成し、ＨＤＭＩ通信部２３を用いてＴＶ受像機３に出力する処理を行う。なお、ＯＳＤ部２０ｂによって生成されたＯＳＤ画像の映像信号は、再生処理部２０ａによって再生された映像信号と合成して、ＴＶ受像機３に出力することもできる。
【００３３】
外部ストレージ使用判断部２０ｃは、光ディスクドライブ２４を用いて、ＢＤディスクｄから「ｉｎｄｅｘ．ｂｄｍｖ」データｄ１を読取り、このデータｄ１の内容に基づいて、コンテンツの再生時に外部ストレージを使用するか否かを判断する。
【００３４】
外部ストレージ制御部２０ｄは、ＵＳＢポート２１に接続されたＵＳＢメモリ５０や、インターネット上のサーバ８０ａ〜８０ｃや、ＴＶ受像機３のＨＤＤ３３にデータを一時的に記録（展開）したり、記録したデータを読み出したりする処理を行う。例えば、外部ストレージ制御部２０ｄは、コンテンツの再生時に、ＵＳＢメモリ５０上にデータを展開させたり、展開したデータを読み取って、再生処理部２０ａに転送したりする処理を行う。
【００３５】
次に、ＢＤプレーヤ２におけるＢＤディスクｄのコンテンツ再生処理について、図３及び図４を参照して説明する。図３は、ＢＤプレーヤ２におけるＢＤディスクｄのコンテンツ再生処理の動作を示すフローチャートである。ここでは、ユーザによってＢＤ−Ｌｉｖｅに対応したＢＤディスクｄが光ディスクドライブ２４の内部に装着されたものとする。また、設定情報２５ｂ内に記憶された各種メッセージの表示はオン設定にされているものとする。
【００３６】
制御部２０は、ディスク検出部２４ａによって、ＢＤディスクｄの装着が検出されると（Ｓ１）、光ディスクドライブ２４を駆動させてＢＤディスクｄから「ｉｎｄｅｘ．ｂｄｍｖ」データｄ１を読み取る（Ｓ２）。
【００３７】
そして、制御部２０は、外部ストレージ使用判断部２０ｃを用いて、「ｉｎｄｅｘ．ｂｄｍｖ」データｄ１の内容から、ＢＤディスクｄに関する情報が記録されたテーブルを参照して、コンテンツの再生時に外部ストレージを使用するか否かを判断する（Ｓ３）。この判断の結果、コンテンツの再生時に外部ストレージを使用すると判断した場合（Ｓ４でＹＥＳ）、制御部２０は、ＯＳＤ部２０ｂを用いて、ＴＶ受像機３のディスプレイ３１に、図４に示すメッセージを表示させた後（Ｓ５）、外部ストレージ使用処理を行う（Ｓ６）。図４に示すように、上記Ｓ５で表示されるメッセージは、コンテンツの再生時に外部ストレージを使用する旨をユーザに報知するメッセージである。
【００３８】
一方、上記Ｓ３の判断の結果、コンテンツの再生時に外部ストレージを使用しないと判断した場合（Ｓ４でＮＯ）、制御部２０は、光ディスクドライブ２４を用いて、ＢＤディスクｄからコンテンツのデータを読取り、再生処理部２０ａを用いて、コンテンツを再生する（Ｓ７）。
【００３９】
次に、上記外部ストレージ使用処理について、図５乃至図９を参照して説明する。図５及び図６は、外部ストレージ使用処理の動作を示すフローチャートである。図７乃至図９は、ＴＶ受像機３のディスプレイ３１に表示されるメッセージの一例を示す。
【００４０】
まず、制御部２０は、ＵＳＢポート２１にＵＳＢ機器が接続されているか否かを検知し（Ｓ１１）、ＵＳＢポート２１にＵＳＢ機器が接続されている場合（Ｓ１２でＹＥＳ）、このＵＳＢ機器の種別を判断する（Ｓ１３）。
【００４１】
この判断の結果、このＵＳＢ機器がＵＳＢメモリ５０でない場合（Ｓ１４でＮＯ）、制御部２０は、ＵＳＢポート２１にＵＳＢメモリ５０を接続する必要があることをユーザに促すメッセージをＴＶ受像機３のディスプレイ３１に表示させて（Ｓ１６）、処理を終了する。具体的には例えば、ＵＳＢポート２１にＷｉＦｉ用ＵＳＢ機器が接続されている場合、制御部２０は、図７に示すメッセージをＴＶ受像機３のディスプレイ３１に表示させて（上記Ｓ１６に相当）、処理を終了する。
【００４２】
一方、上記Ｓ１３の判断の結果、ＵＳＢポート２１にＵＳＢメモリ５０が接続されている場合（Ｓ１４でＹＥＳ）、制御部２０は、このＵＳＢメモリ５０を使用してＢＤディスクｄのコンテンツを再生する（Ｓ１５）。すなわち、制御部２０は、再生処理部２０ａ、及び外部ストレージ制御部２０ｄを用いて、ＢＤディスクｄのコンテンツの再生時に、コンテンツのデータをＵＳＢメモリ５０に展開させながら、コンテンツの再生処理を行う。
【００４３】
一方、上記Ｓ１１の検知の結果、ＵＳＢポート２１にＵＳＢ機器が接続されていない場合（Ｓ１２でＮＯ）、すなわち、ＵＳＢメモリ５０を使用できない場合、制御部２０は、自装置３が外部ストレージ代替機能に対応しているか否かを判断する（Ｓ１７）。外部ストレージ代替機能とは、インターネットＮ上の自社サーバ８０ａや、ＨＤＭＩ規格に対応する外部機器の記録媒体にデータを展開して、コンテンツを再生する機能をいう。
【００４４】
上記Ｓ１７の判断の結果、自装置３が外部ストレージ代替機能に対応していない場合（Ｓ１８でＮＯ）、すなわち、ＢＤプレーヤ２が、インターネットＮ上の自社サーバ８０ａと通信できない場合や、記録媒体を有する外部機器とＨＤＭＩ接続していない場合、ＵＳＢポート２１にＵＳＢメモリ５０を接続することをユーザに促すメッセージをＴＶ受像機３のディスプレイ３１に表示させて（Ｓ１９）、処理を終了する。一方、上記Ｓ１７の判断の結果、自装置３が外部ストレージ代替機能に対応している場合（Ｓ１８でＹＥＳ）、図８に示すメッセージをＴＶ受像機３のディスプレイ３１に表示させる（図６のＳ２１）。
【００４５】
図８に示すように、上記Ｓ２１で表示されるメッセージは、ＵＳＢポート２１にＵＳＢメモリ５０が接続されていない旨と、代替設定を行う場合「次へ」を選択するようにユーザに促す旨のメッセージである。ここで、ユーザによって「再生キャンセル」が選択されると（Ｓ２２でＮＯ）、制御部２０は、コンテンツの再生を行わずに処理を終了する。一方、ユーザによって「次へ」が選択されると（Ｓ２２でＹＥＳ）、制御部２０は、図９に示すメッセージを、ＴＶ受像機３のディスプレイ３１に表示させる（Ｓ２３）。
【００４６】
図９に示すように、上記Ｓ２３で表示されるメッセージは、ＵＳＢメモリ５０の代替設定方法の選択をユーザに促すものである。ユーザは、「インターネットサーバ」又は「接続機器のＨＤＤ」のいずれかを選択可能である。ここで、ユーザによって「インターネットサーバ」が選択されると（Ｓ２４でＹＥＳ）、制御部２０は、課金手続きが完了している場合に（Ｓ２５でＹＥＳ）、インターネットＮ上の自社サーバ８０ａに、コンテンツの再生時に必要なデータを展開するように設定を行う（Ｓ２６）。具体的には例えば、ＢＤプレーヤ２のＬＡＮモジュール２２のＭＡＣアドレスと、自社サーバ８０ａ上のデータ領域とを紐付けして、この領域内にコンテンツの再生時に必要なデータを展開できるように設定する（上記Ｓ２６に相当）。そして、制御部２０は、この自社サーバ８０ａにコンテンツのデータを展開して（外部ストレージのように使用して）、コンテンツを再生する（Ｓ２７）。ここでは、例えば、自社サーバ８０ａ内に記録するデータの保存容量の大きさや保存期間の長さに応じて課金される。
【００４７】
一方、ユーザが「接続機器のＨＤＤ」を選択した場合（Ｓ２４でＮＯ）、制御部２０は、接続機器にＨＤＤを有しているか否かを問い合わせるための、ＣＥＣ規格に基づくベンダーコマンドを送信する（Ｓ３１）。そして、ＴＶ受像機３からＨＤＤ３３を有する旨の返信を受信した場合（Ｓ３２でＹＥＳ）、制御部２０は、ＣＥＣ通信によって、ＴＶ受像機３のＨＤＤ３３にコンテンツの再生時に必要なデータを展開するように設定し（Ｓ３３）、このＨＤＤ３３にコンテンツのデータを展開して（外部ストレージのように使用して）、コンテンツを再生する（Ｓ３４）。
【００４８】
一方、接続機器からＨＤＤを有しない旨の返信コマンドを受信した場合（Ｓ３２でＮＯ）、制御部２０は、コンテンツを再生しないで処理を終了する。
【００４９】
上述したように、本実施形態のＢＤプレーヤ２によれば、ディスク検出部２４ａによってＢＤディスクｄの装着が検出されると、このＢＤディスクｄから「ｉｎｄｅｘ．ｂｄｍｖ」データｄ１を読取り、ＢＤディスクｄに記録されたコンテンツの再生時にＵＳＢメモリ５０を使用するか否かを判断する。そのため、ユーザは、コンテンツを再生する前に、コンテンツの再生時にＵＳＢメモリ５０を使用するか否かを容易に確認できる。従って、例えば、ユーザは、コンテンツを再生する前にＵＳＢメモリ５０をＢＤプレーヤ２に接続して、ＵＳＢメモリ５０が使用できるように準備をした後、コンテンツを再生させることができるため、ＵＳＢメモリ５０が使用できないことによりコンテンツが再生できない場合に、ユーザが機器の故障であると誤認識することを防ぐことができる。
【００５０】
また、ＢＤプレーヤ２は、ＢＤディスクｄに記録されたコンテンツについて、再生時にＵＳＢメモリ５０を使用するコンテンツであると判断したときに、その旨のメッセージをＴＶ受像機３のディスプレイ３１に表示させるので、ユーザは、コンテンツの再生時にＵＳＢメモリ５０を使用することを容易に知ることができる。
【００５１】
また、ＢＤプレーヤ２は、ＵＳＢメモリ５０を使用できない場合であっても、自社サーバ８０ａ上にデータを展開することにより、ＵＳＢメモリ５０を使用するコンテンツを再生できるため、コンテンツを再生する際の利便性を向上させることができる。
【００５２】
また、ＢＤプレーヤ２は、ＵＳＢメモリ５０を使用できない場合であっても、ＴＶ受像機３のＨＤＤ３３にデータを展開することにより、ＵＳＢメモリ５０を使用するコンテンツを再生できるため、コンテンツを再生する際の利便性を向上させることができる。
【００５３】
また、ＢＤプレーヤ２では、ＵＳＢメモリ５０を使用できない場合であっても、「インターネットサーバ」が選択されたときには自社サーバ８０ａ上にデータを展開し、「接続機器のＨＤＤ」が選択されたときには、ＴＶ受像機３のＨＤＤ３にデータを展開することにより、ＵＳＢメモリ５０を使用するコンテンツを再生できるため、コンテンツを再生する際の利便性を向上させることができる。
【００５４】
次に、上記コンテンツ再生システム１の変形例について、図１０を参照して説明する。ここでは、ＢＤプレーヤ２に外付けＨＤＤ９０が接続されていること以外は、上記図１及び図２に示したコンテンツ再生システム１と同様の構成である。
【００５５】
この場合、ＢＤプレーヤ２の制御部２０は、コンテンツの再生時に、外付けＨＤＤ９０にデータを展開して、コンテンツを再生することができる。
【００５６】
なお、本発明は、上記実施形態の構成に限られず、発明の趣旨を変更しない範囲で種々の変形が可能である。例えば、上記実施形態において、請求項に示すコンテンツ再生装置がＢＤプレーヤである例を示したが、これに限られず、ＢＤレコーダ等のコンテンツ再生装置であってもよい。また、上記実施形態において、請求項に示す外部ストレージがＵＳＢメモリである場合の例を示したが、ＳＤカード等のデータを記録可能な外部ストレージであってもよい。
【００５７】
また、上記実施形態では、ＵＳＢポートにＵＳＢメモリが接続されている場合、このＵＳＢメモリを使用して、コンテンツの再生を行う例を示したが、ＵＳＢポートに接続されているＵＳＢメモリの空き容量を判断した後、空き容量が十分に有る場合に、コンテンツの再生を行うものであってもよい。具体的には例えば、ＵＳＢメモリの空き容量が１ＧＢ以上である場合に、コンテンツの再生を行うものであってもよい。その場合、コンテンツの再生時に、ＵＳＢメモリの空き容量が不足して、コンテンツの再生が停止されることがないので、ユーザにとってコンテンツ再生時の利便性がさらに向上する。
【００５８】
また、上記実施形態では、ユーザによって「インターネットサーバ」又は「接続機器のＨＤＤ」のいずれかが選択される例を示したが、この２つの選択肢にそれぞれ優先度を設定しておき、優先度の高い方の選択肢を、制御部が自動的に選択するものであってもよい。具体的には例えば、「インターネットサーバ」の優先度が「接続機器のＨＤＤ」よりも高く設定されている場合、ＢＤプレーヤの制御部は、自動的に「インターネットサーバ」を選択して、インターネットサーバを使用して、コンテンツの再生処理を行う。その場合、ユーザは、操作の手間を低減できるため、コンテンツ再生時の利便性がさらに向上する。
【００５９】
また、上記実施形態では、ディスク検出部によって、ＢＤディスクの装着が検出されると、ＢＤディスクから「ｉｎｄｅｘ．ｂｄｍｖ」データを読み取って、このデータの内容に基づき、コンテンツの再生時に外部ストレージを使用するか否かを判断する例を示したが、ユーザがリモコン装置を操作してコンテンツの再生を指示したときに、コンテンツのデータを再生する前に、ＢＤディスクから「ｉｎｄｅｘ．ｂｄｍｖ」データを読み取って、コンテンツの再生時に外部ストレージを使用するか否かを判断するものであってもよい。
【００６０】
また、上記実施形態では、ＵＳＢポートにＵＳＢ機器が接続されていない場合（上記図５のＳ１２でＮＯ）、自装置が外部ストレージ代替機能に対応しているか否かを判断する（上記図５のＳ１７）例を示したが、ＵＳＢポートに接続されているＵＳＢ機器がＵＳＢメモリでない場合やＵＳＢメモリの空き容量が不足している場合などのように外部ストレージを使用できない場合に、自装置が外部ストレージ代替機能に対応しているか否かを判断するものであってもよい。
【００６１】
また、本実施形態では、コンテンツ再生装置が動画のコンテンツを再生する場合の例を示したが、外部ストレージを使用するコンテンツがゲームコンテンツであってもよい。
【符号の説明】
【００６２】
２  ＢＤプレーヤ（コンテンツ再生装置）
３  ＴＶ受像機（外部機器）
２０ａ  再生処理部（再生手段、外部ストレージ判断手段）
２０ｂ  ＯＳＤ部（出力手段）
２０ｃ  外部ストレージ使用判断部（判断手段）
２２  ＬＡＮモジュール（通信手段）
２３  ＨＤＭＩ接続部（接続手段）
２４  光ディスクドライブ（読取手段）
２７  リモコン装置（選択手段）
３３  ＨＤＤ（記録媒体）
５０  ＵＳＢメモリ（外部ストレージ）
ｄ  ＢＤディスク（記録メディア）
ｄ１  ｉｎｄｅｘ．ｂｄｍｖ（再生制御データ）
【図１】
2014044761.tif 000003
【図２】
2014044761.tif 000004
【図３】
2014044761.tif 000005
【図４】
2014044761.tif 000006
【図５】
2014044761.tif 000007
【図６】
2014044761.tif 000008
【図７】
2014044761.tif 000009
【図８】
2014044761.tif 000010
【図９】
2014044761.tif 000011
【図１０】
2014044761.tif 000012